(57)【要約】    【課題】  部品販売業者から個別販売自動車部品を購入する場合の個別販売部品価格を容易に決定する。    【解決手段】  量産部品価格情報を入力するための量産部品価格情報入力手段１を設け、各個別販売自動車部品についての契約倍率情報を入力するための契約倍率情報入力手段２を設け、個別販売自動車部品を梱包するための梱包費等の諸費用の情報すなわち諸費用情報を入力するための諸費用情報入力手段３を設け、量産部品価格情報、契約倍率情報および諸費用情報を記憶する記憶手段４を設け、価格を決定すべき個別販売自動車部品の情報である個別販売部品情報を入力するための部品情報入力手段５を設け、量産部品価格情報、契約倍率情報および諸費用情報から個別販売部品情報に基づく個別販売自動車部品についての個別販売部品価格を演算する演算手段６を設ける。【選択図】        図１
2006072594.tif 000002
【特許請求の範囲】
【請求項１】
部品販売業者から個別販売部品を購入する場合の個別販売部品価格を決定する個別販売部品価格決定装置であって、
量産部品の価格の情報である量産部品価格情報を入力するための量産部品価格情報入力手段と、
各上記個別販売部品についての上記量産部品価格に対する個別販売部品の価格の倍率の情報すなわち契約倍率情報を入力するための契約倍率情報入力手段と、
上記個別販売部品の諸費用の情報すなわち諸費用情報を入力するための諸費用情報入力手段と、
上記量産部品価格情報、上記契約倍率情報および上記諸費用情報を記憶する記憶手段と、
価格を決定すべき上記個別販売部品の情報である個別販売部品情報を入力するための部品情報入力手段と、
上記量産部品価格情報、上記契約倍率情報および上記諸費用情報から上記部品情報入力手段によって入力された上記個別販売部品情報に基づく上記個別販売部品についての上記個別販売部品価格を演算する演算手段と
を具備することを特徴とする個別販売部品価格決定装置。
【請求項２】
上記量産部品価格情報、上記契約倍率情報および上記諸費用情報が部品特定情報および部品販売業者情報に応じて定められ、上記個別販売部品情報が部品特定情報および上記部品販売業者情報を有することを特徴とする請求項１に記載の個別販売部品価格決定装置。
【請求項３】
上記個別販売部品情報が複合部品特定情報を有し、上記諸費用情報が複合部品諸費用情報であることを特徴とする請求項１または２に記載の個別販売部品価格決定装置。
【請求項４】
上記個別販売部品が個別販売自動車部品であることを特徴とする請求項１、２または３に記載の個別販売部品価格決定装置。
【発明の詳細な説明】
【技術分野】
【０００１】
本発明は部品販売業者から個別販売自動車部品等の個別販売部品を購入する場合の個別販売部品価格を決定する個別販売部品価格決定装置に関するものである。
【背景技術】
【０００２】
自動車製造業者は部品販売業者から自動車を量産するために必要な量産自動車部品を購入して自動車を製造しているが、顧客が自動車の一部の部品を交換するようなときのために、自動車製造業者は量産自動車部品とは別に個別販売自動車部品を部品販売業者から購入するときがある。
【０００３】
そして、量産自動車部品は部品販売業者から大量に購入するのに対して、個別販売自動車部品は部品販売業者から小量を購入するのが通常であるから、個別販売自動車部品の価格は量産自動車部品の価格より高価である。そして、量産自動車部品の価格が変動したときには、部品販売業者と個別販売自動車部品の購入価格を交渉するために、自動車製造業者は量産自動車部品の価格の変動を考慮して部品販売業者から個別販売自動車部品を購入する場合の個別販売部品価格を決定している。
【０００４】
【特許文献１】特開２００２−３６６２１８号公報
【発明の開示】
【発明が解決しようとする課題】
【０００５】
しかし、自動車部品の数は多数であるから、量産自動車部品の価格の変動のたびに部品販売業者から個別販売自動車部品を購入する場合の個別販売部品価格を決定することは面倒である。
【０００６】
本発明は上述の課題を解決するためになされたもので、量産部品の価格の変動を考慮して個別販売部品価格を容易に決定することができる個別販売部品価格決定装置を提供することを目的とする。
【課題を解決するための手段】
【０００７】
この目的を達成するため、本発明においては、量産部品価格情報を入力するための量産部品価格情報入力手段と、契約倍率情報を入力するための契約倍率情報入力手段と、諸費用情報を入力するための諸費用情報入力手段と、上記量産部品価格情報、上記契約倍率情報および上記諸費用情報を記憶する記憶手段と、個別販売部品情報を入力するための部品情報入力手段と、上記量産部品価格情報、上記契約倍率情報および上記諸費用情報から上記部品情報入力手段によって入力された上記個別販売部品情報に基づく個別販売部品についての個別販売部品価格を演算する演算手段とを設ける。
【発明の効果】
【０００８】
本発明に係る個別販売部品価格決定装置においては、部品販売業者から個別販売部品を購入する場合の個別販売部品価格を容易に決定することができる。
【発明を実施するための最良の形態】
【０００９】
図１は本発明に係る個別販売部品価格決定装置を示すブロック図である。図に示すように、自動車製造業者が部品販売業者から購入する量産自動車部品の価格の情報すなわち量産部品価格情報を入力するための量産部品価格情報入力手段１が設けられ、各個別販売自動車部品についての量産自動車部品の価格に対する単独個別販売自動車部品の価格の倍率の情報すなわち契約倍率情報を入力するための契約倍率情報入力手段２が設けられ、単独個別販売自動車部品、複合個別販売自動車部品（複数の単独個別販売自動車部品を組み合わせた物）を梱包するための梱包費等の情報すなわち単独部品諸費用情報および複合部品諸費用情報を入力するための諸費用情報入力手段３が設けられ、量産部品価格情報、契約倍率情報、単独部品諸費用情報および複合部品諸費用情報を記憶する記憶手段４が設けられ、価格を決定すべき単独個別販売自動車部品、複合個別販売自動車部品の情報である単独部品特定情報、複合部品特定情報および販売業者情報を有する個別販売部品情報を入力するための部品情報入力手段５が設けられ、量産部品価格情報、契約倍率情報、単独部品諸費用情報および複合部品諸費用情報から部品情報入力手段５によって入力された個別販売部品情報に基づく個別販売自動車部品についての個別販売部品価格を演算する演算手段６が設けられ、演算手段６により演算された個別販売部品価格を表示するための表示手段７が設けられている。
【００１０】
図２は量産部品価格情報の一部を示す図であり、量産部品価格情報においては単独部品特定情報および部品販売業者情報に対応して量産部品価格が定められている。また、図３は契約倍率情報の一部を示す図であり、契約倍率情報においては単独部品特定情報および部品販売業者情報に対応して契約倍率が定められている。また、図４は単独部品諸費用情報の一部を示す図であり、単独部品諸費用情報においては単独部品情報および部品販売業者情報に応じておよび単独部品諸費用が定められている。また、図５は複合部品諸費用情報の一部を示す図であり、複合部品諸費用情報においては複合部品特定情報および部品販売業者情報に応じて複合部品諸費用が定められている。
【００１１】
つぎに、演算手段６について詳細に説明する。部品情報入力手段５によって個別販売部品情報として単独部品特定情報および部品販売業者情報が入力されたとき、演算手段６は記憶手段４に記憶された量産部品価格情報、契約倍率情報、単独部品諸費用情報から単独部品特定情報および部品販売業者情報に対応した量産部品価格、契約倍率、単独部品諸費用を取得する。たとえば、部品情報入力手段５によって単独部品特定情報「ＡＡＡ０１１」、部品販売業者情報「Ａ」が入力されたときには、演算手段６は記憶手段４から量産部品価格「２８３０円」、契約倍率「１．２」、単独部品諸費用「５０円」を取得する。つぎに、演算手段６は量産部品価格に契約倍率を乗じた値に単独部品諸費用を加算して個別販売部品価格を演算する。たとえば、部品情報入力手段５によって単独部品情報「ＡＡＡ０１１」、部品販売業者情報「Ａ」が入力されたときには、演算手段６は２８３０×１．２＋５０の演算をすることにより、個別販売部品価格「３４４６円」を求める。また、部品情報入力手段５によって個別販売部品情報として複合部品特定情報および部品販売業者情報が入力されたとき、演算手段６は記憶手段４に記憶された量産部品価格情報、契約倍率情報、単独部品諸費用情報から複合部品特定情報および部品販売業者情報に対応した量産部品価格、契約倍率、複合部品諸費用を取得する。たとえば、部品情報入力手段５によって複合部品特定情報「ＡＡＡ０１１・ＡＡＡ０２５」、部品販売業者情報「Ａ」が入力されたときには、演算手段６は記憶手段４から量産部品価格「２８３０円」、「１２５００円」、契約倍率「１．２」、「１．１」、複合部品諸費用「１３０円」を取得する。つぎに、演算手段６は複数の量産部品価格にそれぞれの契約倍率を乗じた値を加算し、その値に複合部品諸費用を加算して個別販売部品価格を演算する。たとえば、部品情報入力手段５によって複合部品特定情報「ＡＡＡ０１１・ＡＡＡ０２５」、部品販売業者情報「Ａ」が入力されたときには、演算手段６は２８３０×１．２＋１２５００×１．１＋１３０の演算をすることにより、個別販売部品価格「１７２７６円」を求める。
【００１２】
つぎに、図１に示した個別販売部品価格決定装置の動作を図６により説明する。まず、予め量産部品価格情報入力手段１に量産部品価格情報を入力し、契約倍率情報入力手段２に契約倍率情報を入力し、諸費用情報入力手段３に単独部品諸費用情報および複合部品諸費用情報を入力すると、記憶手段４に量産部品価格情報、契約倍率情報、単独部品諸費用情報および複合部品諸費用情報が記憶される。つぎに、部品情報入力手段５によって個別販売部品情報が入力されると、演算手段６は記憶手段４に記憶された量産部品価格情報、契約倍率情報、単独部品諸費用情報から個別販売部品情報に対応した量産部品価格、契約倍率および単独部品諸費用または複合部品諸費用を取得する（Ｓ１）。つぎに、演算手段６は量産部品価格に契約倍率を乗じた値に単独部品諸費用を加算して個別販売部品価格を演算し、または複数の量産部品価格にそれぞれの契約倍率を乗じた値を加算し、その値に複合諸費用を加算して個別販売部品価格を演算する（Ｓ２）。つぎに、表示手段７は個別販売部品価格を表示する（Ｓ３）。
【００１３】
このような個別販売部品価格決定装置においては、自動車部品の数が多数であっても、量産自動車部品の価格の変動したときに、部品販売業者から個別販売自動車部品を購入する場合の個別販売部品価格を容易に決定することができる。
【００１４】
なお、上述実施の形態においては、個別販売自動車部品の個別販売部品価格を決定する場合について説明したが、他の個別販売部品の個別販売部品価格を決定する場合にも本発明を適用することができる。
【図面の簡単な説明】
【００１５】
【図１】本発明に係る個別販売部品価格決定装置を示すブロック図である。
【図２】量産部品価格情報の一部を示す図である。
【図３】契約倍率情報の一部を示す図である。
【図４】単独部品諸費用情報の一部を示す図である。
【図５】複合部品諸費用情報の一部を示す図である。
【図６】図１に示した個別販売部品価格決定装置の動作を説明するためのフローチャートである。
【符号の説明】
【００１６】
１…量産部品価格情報入力手段    ２…契約倍率情報入力手段
３…諸費用情報入力手段          ４…記憶手段
５…部品情報入力手段            ６…演算手段
７…表示手段
【図１】
2006072594.tif 000003
【図２】
2006072594.tif 000004
【図３】
2006072594.tif 000005
【図４】
2006072594.tif 000006
【図５】
2006072594.tif 000007
【図６】
2006072594.tif 000008